(57)【要約】【課題】多数の正極タブ及び多数の負極タブが形成された二次電池を提供すること。【解決手段】  本発明は二次電池に関するものである。本発明によれば、第１極板と、第２極板と、前記二つの極板の間に介在されたセパレーターとを備える電極組立体を含み、前記電極組立体は、前記第１極板から突出した多数の第１単位タブが積層されて形成された第１電極タブと、前記第２極板から突出した多数の第２単位タブが積層されて形成された第２電極タブとを備え、前記第１電極タブの幅は前記各第１単位タブの幅よりも大きく形成されたことを特徴とする二次電池を提供する。【選択図】図１
2011108614.tif 000002
【特許請求の範囲】
【請求項１】
第１極板と、第２極板と、前記二つの極板の間に介在されたセパレーターとを備える電極組立体を含み、
前記電極組立体は、
前記第１極板から突出した多数の第１単位タブが積層されて形成された第１電極タブと、
前記第２極板から突出した多数の第２単位タブが積層されて形成された第２電極タブと、
を備え、
前記第１電極タブの幅は、前記各第１単位タブの幅よりも大きく形成されたことを特徴とする、二次電池。
【請求項２】
前記電極組立体は、前記第１極板及び第２極板と前記セパレーターが巻回されて形成されたことを特徴とする、請求項１に記載の二次電池。
【請求項３】
前記電極組立体が収容される外装ケースをさらに含み、
前記第１電極タブと第２電極タブのうち少なくとも一つは折曲された状態で前記外装ケースに収容されたことを特徴とする、請求項１または２に記載の二次電池。
【請求項４】
前記折曲形状はＶ字またはＵ字であることを特徴とする、請求項３に記載の二次電池。
【請求項５】
前記第１電極タブと前記第２電極タブは、前記電極組立体の両端部にそれぞれ位置することを特徴とする、請求項１〜４のいずれか１項に記載の二次電池。
【請求項６】
前記第１電極タブは、所望の幅を有するように切断されて形成されたことを特徴とする、請求項１〜５のいずれか１項に記載の二次電池。
【請求項７】
前記第２電極タブの幅は、前記各第２単位タブの幅よりも大きく形成されたことを特徴とする、請求項１〜６のいずれか１項に記載の二次電池。
【請求項８】
前記第２電極タブは、所望の幅を有するように切断されて形成されたことを特徴とする、請求項７に記載の二次電池。
【請求項９】
前記電極組立体は、平らな形態を有することを特徴とする、請求項１〜８のいずれか１項に記載の二次電池。
【請求項１０】
前記第１電極タブに結合された第１電極端子と前記第２電極タブに結合された第２電極端子とをさらに含み、
前記二つの電極タブのうち少なくとも一つの電極タブの幅は、結合される電極端子の幅と同一であることを特徴とする、請求項１〜９のいずれか１項に記載の二次電池。
【請求項１１】
第１極板と、第２極板と、前記二つの極板の間に介在されたセパレーターとが巻回されて形成された電極組立体を含み、
前記電極組立体は、
前記第１極板から突出した多数の第１単位タブが積層されて形成された第１電極タブと、
前記第２極板から突出した多数の第２単位タブが積層されて形成された第２電極タブと、を備え、
前記多数の第１単位タブは、前記電極組立体の巻回中心線に対して半径方向に沿って一側に形成されたことを特徴とする、二次電池。
【請求項１２】
前記第１電極タブの幅は、前記各第１単位タブの幅よりも大きく形成されたことを特徴とする、請求項１１に記載の二次電池。
【請求項１３】
前記第２電極タブの幅は、前記各第２単位タブの幅よりも大きく形成されたことを特徴とする、請求項１１または１２に記載の二次電池。
【請求項１４】
前記電極組立体が収容される外装ケースをさらに含み、
前記第１電極タブと第２電極タブのうち少なくとも一つは、折曲された状態で前記外装ケースに収容されたことを特徴とする、請求項１１〜１３のいずれか１項に記載の二次電池。
【請求項１５】
前記折曲形状は、Ｖ字またはＵ字であることを特徴とする、請求項１４に記載の二次電池。
【請求項１６】
前記第１電極タブと第２電極タブは、それぞれ前記電極組立体の巻回中心線方向両端部に位置することを特徴とする、請求項１１〜１５のいずれか１項に記載の二次電池。
【請求項１７】
前記第１電極タブと第２電極タブは所望の幅を有するように切断されて形成されたことを特徴とする、請求項１１〜１６のいずれか１項に記載の二次電池。
【請求項１８】
前記多数の第２単位タブは、前記電極組立体の巻回中心線に対して半径方向に沿って一側に形成されたことを特徴とする、請求項１１〜１７のいずれか１項に記載の二次電池。
【請求項１９】
前記多数の第１単位タブと前記多数の第２単位タブは、前記電極組立体の巻回中心線に対して半径方向に沿って一側に形成されたことを特徴とする、請求項１１〜１８のいずれか１項に記載の二次電池。
【請求項２０】
前記電極組立体は、前記巻回中心線と直角方向に平らな形態を有し、
前記多数の第１単位タブは、前記巻回中心線を基準に前記電極組立体の厚さ方向一側に位置することを特徴とする、請求項１１〜１９のいずれか１項に記載の二次電池。
【発明の詳細な説明】
【技術分野】
【０００１】
本発明は、二次電池に関するものである。
【背景技術】
【０００２】
一般的に、二次電池は、正極板と負極板及びこれら両電極板の間に介在されたセパレーターで構成された電極組立体を電解液と共に外装ケースに収納して形成される。
【０００３】
高容量二次電池を具現するためには、多数の正極タブ及び多数の負極タブを備える電極組立体が要求される。
【発明の概要】
【発明が解決しようとする課題】
【０００４】
しかし、電極組立体が巻回状に形成された場合は、多数の正極タブ及び多数の負極タブの形成が容易でないため、改善が要求される。
【０００５】
そこで、本発明は、上記問題に鑑みてなされたものであり、本発明の目的とするところは、容易に多数の正極タブ及び多数の負極タブが形成された電極組立体を備える二次電池を提供することにある。
【０００６】
本発明の他の目的は、空間効率の高い二次電池を提供することにある。
【０００７】
本発明のまた他の目的は、製造時に変形が防止される二次電池を提供することにある。
【課題を解決するための手段】
【０００８】
上述の目的を達成するために、本発明の一側面によると、第１極板と、第２極板と、前記二つの極板の間に介在されたセパレーターとを備える電極組立体を含み、前記電極組立体は、前記第１極板から突出した多数の第１単位タブが積層されて形成された第１電極タブと、前記第２極板から突出した多数の第２単位タブが積層されて形成された第２電極タブとを備え、前記第１電極タブの幅は前記各第１単位タブの幅よりも大きく形成されたことを特徴とする二次電池が提供される。
【０００９】
前記電極組立体は、前記第１極板及び第２極板と前記セパレーターが巻回されて形成されてもよい。
【００１０】
前記二次電池は、前記電極組立体が収容される外装ケースをさらに含み、前記第１電極タブと第２電極タブのうち少なくとも一つは折曲された状態で前記外装ケースに収容されてもよい。前記折曲形状はＶ字またはＵ字であってもよい。
【００１１】
前記第１電極タブと前記第２電極タブは前記電極組立体の両端部にそれぞれ位置してもよい。
【００１２】
前記第１電極タブは所望の幅を有するように切断されて形成されてもよい。
【００１３】
前記第２電極タブの幅は前記各第２単位タブの幅よりも大きく形成されてもよい。この時、前記第２電極タブは所望の幅を有するように切断されて形成されてもよい。
【００１４】
前記電極組立体は平らな形態を有してもよい。
【００１５】
前記二次電池は、前記第１電極タブに結合された第１電極端子と前記第２電極タブに結合された第２電極端子とをさらに含み、前記二つの電極タブのうち少なくとも一つの電極タブの幅は、結合される電極端子の幅と同一であってもよい。
【００１６】
本発明の他の側面によると、第１極板と、第２極板と、前記二つの極板の間に介在されたセパレーターとが巻回されて形成された電極組立体を含み、前記電極組立体は、前記第１極板から突出した多数の第１単位タブが積層されて形成された第１電極タブと、前記第２極板から突出した多数の第２単位タブが積層されて形成された第２電極タブとを備え、前記多数の第１単位タブは、前記電極組立体の巻回中心線に対して半径方向に沿って一側に形成されたことを特徴とする二次電池が提供される。
【００１７】
前記第１電極タブの幅は前記各第１単位タブの幅よりも大きく形成されてもよい。
【００１８】
前記第２電極タブの幅は前記各第２単位タブの幅よりも大きく形成されてもよい。
【００１９】
前記二次電池は、前記電極組立体が収容される外装ケースをさらに含み、前記第１電極タブと第２電極タブのうち少なくとも一つは、折曲された状態で前記外装ケースに収容されてもよい。この時、前記折曲形状はＶ字またはＵ字であってもよい。
【００２０】
前記第１電極タブと第２電極タブは、それぞれ前記電極組立体の巻回中心線方向両端部に位置してもよい。
【００２１】
前記第１電極タブと第２電極タブは所望の幅を有するように切断されて形成されてもよい。
【００２２】
前記多数の第２単位タブは、前記電極組立体の巻回中心線に対して半径方向に沿って一側に形成されてもよい。
【００２３】
前記多数の第１単位タブと前記多数の第２単位タブは、前記電極組立体の巻回中心線に対して半径方向に沿って一側に形成されてもよい。
【００２４】
前記電極組立体は、前記巻回中心線と直角方向に平らな形態を有し、前記多数の第１単位タブは、前記巻回中心線を基準に前記電極組立体の厚さ方向一側に位置してもよい。
【発明の効果】
【００２５】
以上説明したように本発明によれば、上記目的を達成することができる。具体的には、本発明によると、多数の単位タブが重なって形成された電極タブの全体幅が各単位タブの幅よりも大きく形成されるので、電極タブを所望の幅に形成することで、容易に多数の正極タブ及び多数の負極タブが形成することが可能になる。
【００２６】
また、本発明によると、多数の単位タブが全て電極組立体の巻回中心に対して一側に偏って形成されるので、空間効率が高く、製造時に電極組立体の変形が防止されることができる。
【図面の簡単な説明】
【００２７】
【図１】本発明の一実施例に係る二次電池の斜視図である。
【図２】図１の二次電池をＡ‐Ａ線断面図である。
【図３】図２の電極組立体の斜視図である。
【図４】図１に図示した二次電池の製造方法を示すフローチャートである。
【図５】図４に図示された二次電池の製造方法の各段階を説明するための図である。
【図６】図４に図示された二次電池の製造方法の各段階を説明するための図である。
【図７】図４に図示された二次電池の製造方法の各段階を説明するための図である。
【図８】図４に図示された二次電池の製造方法の各段階を説明するための図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【実施例】
【００２９】
図１は本発明の一実施例に係る二次電池の斜視図であり、図２は図１の二次電池のＡ‐Ａ線断面図である。図３は図１及び図２の内部に収容された電極組立体の斜視図である。
図１及び図２を参照すると、二次電池１００は、外装ケース１１０と、外装ケース１１０に収容された電極組立体１２０とを備える。
【００３０】
外装ケース１１０はパウチ型からなり、第１シート１１１及び第２シート１１４を備える。第１シート１１１は、電極組立体１２０を収容する空間１１１ａが設けられた収容部１１２と、第２シート１１４と結合されるフランジ１１３とを備える。収容部１１２には、開口部１１１ｂが形成される。フランジ１１３は、収容部１１２の開口部１１１ｂから外方へ延びて形成される。第２シート１１４は、平らな形状を有し、収容部１１２の開口部１１１ｂを覆う。
【００３１】
第１シート１１１と第２シート１１４は、それぞれ一面が熱接着性を有する素材のフィルムからなり、その他の異なる材質からなる複数のフィルムが積層されて結合される形態からなる。このような構成によって、第１シート１１１のフランジ１１３と第２シート１１４は、それぞれ熱接着性を有する素材からなる一面が互いに接触した状態で、加熱及び加圧によって両シート１１１、１１４が密封される。よって、外装ケース１１０の縁部には、フランジ１１３と対応して密封部１１０ｂが形成される。
【００３２】
第１、第２シート１１１、１１４は、ポリオレフィン系樹脂層（ｐｏｌｙｏｌｅｆｉｎ  ｌａｙｅｒ）、アルミニウム層、ナイロン層の３層構造からなることができる。ポリオレフィン系樹脂層は、熱接着性を有し、密封材の役割を果たす。アルミニウム層は、外装ケース１１０の機械的強度を維持する基材及び水分と酸素のバリア層としての役割を果たす。ナイロン層は、基材及び保護層の役割を果たす。ポリオレフィン系樹脂層としは、ＣＣＰ（Ｃａｓｔｅｄ  Ｐｏｌｙｐｒｏｐｙｌｅｎｅ）が主に使用される。
【００３３】
図１〜図３を参照すると、電極組立体１２０は、第１極板１２１、第２極板１２２、両極板１２１、１２２の間に介在された第１、第２セパレーター１２３、１２４、第１電極タブ１２７及び第２電極タブ１２８を備える。電極組立体１２０は、両極板１２１、１２２と両セパレーター１２３、１２４が積層された状態で巻回されて形成される。電極組立体１２０は、巻回中心線Ｘに対して直角方向に平らな形態を有する。電極組立体１２０には、巻回構造が露出する第１端部１２０ａ及び第２端部１２０ｂが形成される。
【００３４】
第１電極板１２１は正極板である。第１電極板１２１は、正極集電体１２１ａと、正極集電体１２１ａの両面に塗布された正極活物質１２１ｂとを備える。一般的に、正極集電体１２１ａはアルミニウムのような伝導性金属板で形成される。正極活物質１２１ｂは、リチウムを含む層状化合物と、伝導性を向上させる導電材と、層状化合物と導電材の間の結合力を向上させるバインダーとを含んで形成される。
【００３５】
第２電極板１２２は負極板である。第２電極板１２２は、負極集電体１２２ａと、負極集電体１２２ａの両面に塗布された負極活物質１２２ｂとを備える。一般的に、負極集電体１２２ａは、銅のような伝導性金属板で形成される。負極活物質１２２ｂは、炭素を含有する黒鉛のようなカーボンと、カーボン粒子同士の結合力を向上させるバインダーとを含んで形成される。また、負極活物質１２２ｂは、酸化スズ（ＳｎＯ）またはチタン酸リチウム（ＬＴＯ）で形成されることができる。負極活物質として黒鉛が使用される場合、対応する正極板が負極板より小さな面積に形成されることができる。また、負極活物質としてＳｎＯまたはＬＴＯが使用される場合は、対応する正極板が負極板より大きな面積に形成されることができる。
【００３６】
本実施例において、第１電極板１２１は正極板で、第２電極板１２２は負極板であると説明したが、本発明はこれに限られるのではない。これとは異なって、第１電極板１２１が負極板で、第２電極板１２２が正極板であってもよく、この場合も本発明に含まれることを当業者であれば理解できるであろう。
【００３７】
第１セパレーター１２３及び第２セパレーター１２４には微細気孔が形成され、該微細気孔を通過して二つの電極板１２１、１２２の間をリチウムイオンが移動する。第１セパレーター１２３及び第２セパレーター１２４は、ポリエチレン（ＰＥ）またはポリプロピレン（ＰＰ）のような高分子樹脂で形成されることができる。
【００３８】
第１電極タブ１２７は、電極組立体１２０の第１端部１２０ａから突出形成される。第１電極タブ１２７は、多数の第１単位タブ１２７ａ、１２７ｂ、１２７ｃを備える。多数の第１単位タブ１２７ａ、１２７ｂ、１２７ｃは、少なくとも一部が互いに重なった状態に積層されて結合される。第１電極タブ１２７の幅Ｗ１は第１単位タブ１２７ａ、１２７ｂ、１２７ｃそれぞれの幅より大きく形成される。よって、多数の第１単位タブ１２７ａ、１２７ｂ、１２７ｃを結合して所望の幅を有する第１電極タブ１２７を形成することが可能である。第１単位タブ１２７ａ、１２７ｂ、１２７ｃのそれぞれは、正極板である第１電極板１２１の正極集電体１２１ａが延びて形成されたものである。よって、第１電極タブ１２７は正極タブとなる。多数の第１単位タブ１２７ａ、１２７ｂ、１２７ｃは、巻回中心線Ｘを基準に半径方向に沿って一側に形成される。より詳しくは、多数の第１単位タブ１２７ａ、１２７ｂ、１２７ｃは巻回中心線Ｘを基準に電極組立体１２０の厚さ方向一側に形成される。それによって、第１電極タブ１２７の構造が単純になって空間効率が向上する。また、第１単位タブ１２７ａ、１２７ｂ、１２７ｃを融着して第１電極タブ１２７を形成する時、電極組立体１２０の変形が防止される。即ち、もし第１単位タブが電極組立体１２０の厚さ方向に沿って全体的に形成される場合、多数の第１単位タブが結合されて融着される時、上段に位置する単位タブが引かれて電極組立体の変形を誘発する可能性がある。しかし、本実施例のように、第１単位タブが電極組立体１２０の厚さ方向一側にのみ形成されると、このような変形は防止される。
【００３９】
多数の第１単位タブ１２７ａ、１２７ｂ、１２７ｃは、超音波溶接、抵抗溶接などのような方法によって融着されて第１電極タブ１２７を形成し、この時、外装ケース１１０の外部に引き出される第１電極端子１３０ａが共に結合される。第１電極端子１３０ａの幅は第１電極タブ１２７の幅と同一に形成される。第１電極タブ１２７と第１電極端子１３０ａが結合された部分は、外装ケース１１０内でＶ字（またはＵ字）状に折曲されて、不必要な空間を排除する。第１電極端子１３０ａは外装ケース１１０の密封部１１０ｂを介して外部に引き出されるが、第１電極端子１３０ａには、密封部１１０ｂと接触する絶縁テープ１３１ａが巻回されている。正極タブである第１電極タブ１２７と結合される第１電極端子１３０ａは正極端子となる。
【００４０】
第２電極タブ１２８は、電極組立体１２０の第２端部１２０ｂから突出形成される。第２電極タブ１２８は、多数の第２単位タブ１２８ａ、１２８ｂ、１２８ｃを備える。多数の第２単位タブ１２８ａ、１２８ｂ、１２８ｃは、少なくとも一部が互いに重なった状態に積層されて結合される。第２電極タブ１２８の幅Ｗ２は、第２単位タブ１２８ａ、１２８ｂ、１２８ｃそれぞれの幅よりも大きく形成される。よって、多数の第２単位タブ１２８ａ、１２８ｂ、１２８ｃを結合して所望の幅を有する第２電極タブ１２８を形成することが可能である。第２単位タブ１２８ａ、１２８ｂ、１２８ｃは、それぞれ負極板１２２の負極集電体１２２ａが延びて形成されたものである。よって、第２電極タブ１２８は負極タブとなる。多数の第２単位タブ１２８ａ、１２８ｂ、１２８ｃは、巻回中心線Ｘを基準に第１単位タブ１２７ａ、１２７ｂ、１２７ｃが位置した電極組立体１２０の厚さ方向一側に形成される。それによって、第２電極タブ１２８の構造が単純になって空間効率が向上する。また、第２単位タブ１２８ａ、１２８ｂ、１２８ｃを融着して第２電極タブ１２８を形成する時、電極組立体１２０の変形が防止される。即ち、もし第２単位タブが電極組立体１２０の厚さ方向に沿って全体的に形成される場合、多数の第２単位タブが結合されて融着される時、上段に位置する単位タブが引かれて電極組立体の変形を誘発する可能性がある。しかし、本実施例のように、第２単位タブが電極組立体１２０の厚さ方向一側にのみ形成されると、このような変形は防止される。
【００４１】
多数の第２単位タブ１２８ａ、１２８ｂ、１２８ｃは、超音波溶接、抵抗溶接などのような方法によって融着されて第２電極タブ１２８を形成し、この時、外装ケース１１０の外部に引き出される第２電極端子１３０ｂが共に結合される。第２電極端子１３０ｂの幅は第２電極タブ１２８の幅と同一に形成される。第２電極タブ１２８と第２電極端子１３０ｂが結合された部分は、外装ケース１１０内でＶ字（またはＵ字）状に折曲されて、不必要な空間を排除する。第２電極端子１３０ｂは外装ケース１１０の密封部１１０ｂを介して外部に引き出されるが、第２電極端子１３０ｂには、密封部１１０ｂと接触する絶縁テープ１３１ｂが巻回されている。負極タブである第２電極タブ１２８と結合される第２電極端子１３０ｂは負極端子となる。
【００４２】
巻回された電極組立体１２０の外周面端部には、電極組立体１２０が解けることを防止する仕上げテープ１２９が付着する。
【００４３】
以下、前記実施例の二次電池を製造する方法を詳しく説明する。
【００４４】
図４は、図１に図示された二次電池の製造方法を示す順序図である。図５〜図８は、図４に図示された製造方法の各段階を説明するための図である。
【００４５】
図４を参照すると、本発明の一実施例にかかる二次電池の製造方法は、積層段階Ｓ１０、巻回段階Ｓ２０、切断段階Ｓ３０、端子付着段階Ｓ４０及び外装ケース収納段階Ｓ５０を含む。
【００４６】
先ず、積層段階Ｓ１０を詳しく説明する。積層段階Ｓ１０では、正極板である第１極板、負極板である第２極板及びセパレーターが積層される。
【００４７】
図５は、積層段階Ｓ１０で積層された第１極板、第２極板及びセパレーターの積層構造を示す斜視図であり、図６は、図５の積層構造のＢ‐Ｂ線断面図である。
【００４８】
図５及び図６を参照すると、上から順に第２極板１２２、第１セパレーター１２３、第１極板１２１及び第２セパレーター１２４が積層され、延長軸線Ｙに沿って延びている。第１極板１２１と第２極板１２２には、延長軸線Ｙを間に置いて互いに反対側に、多数の第１突出タブ１２１ｃと多数の第２突出タブ１２２ｃがそれぞれ形成される。
【００４９】
多数の第１突出タブ１２１ｃは、正極板である第１極板１２１の正極集電体１２１ａが積層構造の外に突出して形成されたものである。多数の第１突出タブ１２１ｃの間の距離は、巻回時の円周長に対応する。それによって、多数の第１突出タブ１２１ｃは、巻回された時、巻回中心から半径方向に沿って位置するようになる。
【００５０】
多数の第２突出タブ１２２ｃは、負極板である第２極板１２２の負極集電体１２２ａが積層構造の外に突出して形成されたものである。多数の第２突出タブ１２２ｃは、多数の第１突出タブ１２１ｃと対応して位置する。それによって、多数の第２突出タブ１２２ｃは、巻回された時、多数の第１突出タブ１２１ｃと同様に巻回中心から半径方向に沿って位置するようになる。
【００５１】
次に、巻回段階Ｓ２０を詳しく説明する。巻回段階Ｓ２０は、図５に示す積層構造を巻回する段階である。
【００５２】
図５に示す状態で積層された第１極板１２１、第２極板１２２及び第１、第２セパレーター１２３、１２４は、矢印で示すように延長軸線Ｙに沿って平らな形態になるように巻回される。巻回段階Ｓ２０を経た状態が図７に示されている。図７を参照すると、多数の第１突出タブ１２１ｃと多数の第２突出タブ１２２ｃが巻回中心線Ｘに沿って互いに反対側に位置する。多数の第１突出タブ１２１ｃは幅方向に互いに一部が重なるように整列される。多数の第２突出タブ１２２ｃは幅方向に互いに一部が重なるように整列される。巻回された第１極板１２１、第２極板１２２及び第１、第２セパレーター１２３、１２４の外周面端部には、解けることを防止する仕上げテープ１２９が付着する。
【００５３】
次に、切断段階Ｓ３０を詳しく説明する。切断段階Ｓ３０は、多数の第１突出タブ１２１ｃ及び多数の第２突出タブ１２２ｃを切断する段階である。
【００５４】
図７に示す状態で、図８に点線で示された第１突出タブ１２１ｃ及び第２突出タブ１２２ｃの幅方向一部領域を切断する。それによって、所望の幅を有する第１電極タブ（図３の１２７）及び第２電極タブ（図３の１２８）の形成が可能となる。
【００５５】
次に、端子付着段階Ｓ４０を詳しく説明する。端子付着段階Ｓ４０は、正極端子である第１電極端子及び負極端子である第２電極端子を形成する段階である。
【００５６】
図８に示す状態で、第１電極端子（図３の１３０ａ）と第２電極端子（図３の１３０ｂ）がそれぞれ多数の第１突出タブ１２１ｃ及び多数の第２突出タブ１２２ｃに熱融着によって付着して、図３に示すような状態となる。この時、第１電極端子１３０ａと第２電極端子１３０ｂが結合される部分で、多数の第１突出タブ１２１ｃが結合されて第１電極タブ１２７を形成し、多数の第２突出タブ１２２ｃが結合されて第２電極タブ１２８を形成するようになる。第１電極端子１３０ａと第２電極端子１３０ｂには、それぞれ絶縁テープ１３１ａ、１３１ｂが巻回される。
【００５７】
次に、外装ケース収納段階Ｓ５０を詳しく説明する。外装ケース収納段階Ｓ５０は、電極組立体を外装ケースに収納する段階である。図３に示す構成の電極組立体１２０が図２に示すような外装ケース１１０の第１シート１１１の収容部１１２に収納される。次に、第２シート１１４が第１シート１１１のフランジ１１３に熱融着されて、第１シート１１１と第２シート１１４が密封される。この時、第１電極タブ１２７及び第２電極タブ１２８は、Ｖ字状に折曲される。また、第１電極端子１３０ａを囲む絶縁テープ１３１ａと第２電極端子１３０ｂを囲む絶縁テープ１３１ｂが外装ケース１１０の密封部１１０ｂに位置するようになる。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５９】
１００    二次電池
１１０    外装ケース
１２０    電極組立体
１２１    第１極板
１２２    第２極板
１２３    第１セパレーター
１２４    第２セパレーター
１２７    第１電極タブ
１２８    第２電極タブ
【図１】
2011108614.tif 000003
【図２】
2011108614.tif 000004
【図３】
2011108614.tif 000005
【図４】
2011108614.tif 000006
【図５】
2011108614.tif 000007
【図６】
2011108614.tif 000008
【図７】
2011108614.tif 000009
【図８】
2011108614.tif 000010